(57)【要約】【課題】ＩＥＥＥ８０２．１６を適用した高速無線アクセスシステムについて、基地局ＢＳにおける帯域要求の管理のオーバヘッドを低減させることができる、中継局における帯域要求の集約方法等を提供する。【解決手段】中継局は、複数の移動局から複数の帯域要求を受信する。次に、中継局は、帯域要求に含まれる所望帯域幅の合算値を、当該中継局の所望帯域幅として含む１つの帯域要求を生成する。ＭＡＣヘッダに拡張サブヘッダを追加し、拡張サブヘッダは、合算値である当該中継局の所望帯域幅と、移動局の所望帯域幅及び接続識別子とを含む。所望帯域幅及び接続識別子は、所望帯域幅が同一となる移動局毎に記述される。そして、生成された帯域要求を、基地局へ送信する。【選択図】図３
2008017069.tif 000002
【特許請求の範囲】
【請求項１】
ＩＥＥＥ８０２．１６を適用した中継局における帯域要求の集約方法であって、
複数の移動局から複数の帯域要求を受信する第１のステップと、
前記帯域要求に含まれる所望帯域幅の合算値を、当該中継局の所望帯域幅として含む１つの帯域要求を生成する第２のステップと、
生成された前記帯域要求を、基地局へ送信する第３のステップと
を有することを特徴とする帯域要求の集約方法。
【請求項２】
第２のステップについて、ＭＡＣ(Medium Access Control)ヘッダに拡張サブヘッダを追加し、該拡張サブヘッダは、前記合算値である当該中継局の所望帯域幅と、前記移動局の所望帯域幅及び接続識別子とを含むことを特徴とする請求項１に記載の帯域要求の集約方法。
【請求項３】
前記拡張サブヘッダにおける前記移動局の所望帯域幅及び接続識別子は、所望帯域幅が同一となる移動局毎に記述されることを特徴とする請求項２に記載の帯域要求の集約方法。
【請求項４】
ＩＥＥＥ８０２．１６を適用した中継局において、
複数の移動局から複数の帯域要求を受信する帯域要求受信手段と、
前記帯域要求に含まれる所望帯域幅の合算値を、当該中継局の所望帯域幅として含む１つの帯域要求を生成する帯域要求集約手段と、
生成された前記帯域要求を、基地局へ送信する帯域要求送信手段と
を有することを特徴とする中継局。
【請求項５】
前記帯域要求集約手段は、ＭＡＣ(Medium Access Control)ヘッダに拡張サブヘッダを追加し、該拡張サブヘッダは、前記合算値である当該中継局の所望帯域幅と、前記移動局の所望帯域幅及び接続識別子とを含むことを特徴とする請求項４に記載の中継局。
【請求項６】
前記拡張サブヘッダにおける前記移動局の所望帯域幅及び接続識別子は、所望帯域幅が同一となる移動局毎に記述されることを特徴とする請求項５に記載の中継局。
【請求項７】
ＩＥＥＥ８０２．１６を適用した中継局に搭載されたコンピュータを機能させるプログラムであって、
複数の移動局から複数の帯域要求を受信する帯域要求受信手段と、
前記帯域要求に含まれる所望帯域幅の合算値を、当該中継局の所望帯域幅として含む１つの帯域要求を生成する帯域要求集約手段と、
生成された前記帯域要求を、基地局へ送信する帯域要求送信手段と
してコンピュータを機能させることを特徴とする中継局用のプログラム。
【請求項８】
前記帯域要求集約手段は、ＭＡＣ(Medium Access Control)ヘッダに拡張サブヘッダを追加し、該拡張サブヘッダは、前記合算値である当該中継局の所望帯域幅と、前記移動局の所望帯域幅及び接続識別子とを含むようにコンピュータを機能させることを特徴とする請求項７に記載の中継局用のプログラム。
【請求項９】
前記拡張サブヘッダにおける前記移動局の所望帯域幅及び接続識別子は、所望帯域幅が同一となる移動局毎に記述されるようにコンピュータを機能させることを特徴とする請求項８に記載の中継局用のプログラム。
【発明の詳細な説明】
【技術分野】
【０００１】
本発明は、ＩＥＥＥ８０２．１６を適用した中継局における帯域要求の集約方法、中継局及びプログラムに関する。
【背景技術】
【０００２】
ＩＥＥＥ８０２．１６は、ＢＷＡ(Broadband Wireless Access)サービスを提供可能な高速無線アクセスシステムの標準規格である。現在、ＩＥＥＥ８０２．１６標準化会合では、データを中継することによってカバレッジエリアを拡大するＭＭＲ(Mobile Multihop Relay)技術に関し、メディアアクセス制御(Medium Access Control)及び物理層を規定するための検討が開始されている。このＭＭＲ技術によれば、基地局ＢＳ(Base Station)は、その基地局ＢＳ圏内の固定局ＳＳ(Subscriber Station)又は移動局ＭＳ(Mobile Subscriber Station)と通信をすると共に、基地局ＢＳ圏内の中継局ＲＳ(Relay Station)を介して、基地局ＢＳ圏外の固定局ＳＳ又は移動局ＭＳとも通信をすることができる。
【０００３】
ＩＥＥＥ８０２．１６の高速無線アクセスシステムは、基本的に、固定局ＳＳ向けＢＷＡサービスの提供を目的とした標準規格である（例えば非特許文献１参照、ＩＥＥＥ８０２．１６−２００４）。ここでは、ＰＭＰ(Point-to-Multipoint)及びＭｅｓｈの２つのネットワークトポロジが規定されている。ＰＭＰは、一般的なセルラシステムと同様、基本的に「ＢＳ：ＳＳ＝１：多」でネットワークを構成する。一方、Ｍｅｓｈは、固定局ＳＳ同士をマルチホップでネットワークを構成する。
【０００４】
非特許文献１によれば、カバレッジエリアの拡大を目的とする中継機能については全く考慮されていない。電力増幅の中継を行う場合、中継局ＲＳは、中継局ＲＳ−固定局ＳＳ間の通信状況によって決定された、所望Burst Profile（変調方式やコードレートの情報）を単に増幅して転送する。従って、基地局ＢＳ−中継局ＲＳ間の通信状況が考慮されず、結果的に基地局ＢＳ−中継局ＲＳ−固定局ＳＳ間の整合が取れない。
【０００５】
また、ＩＥＥＥ８０２．１６−２００４標準規格のＭｅｓｈトポロジを用いてカバレッジエリア拡大を図ることはできる。しかし、Ｍｅｓｈはオプション扱いであって、フレーム構成についてＰＭＰと互換性が無い。また、ＰＭＰと比較して、フレームのオーバヘッドが多く、スループットに影響する。複信方式は、ＴＤＤ(Time Division Duplex)しかサポートしていない。
【０００６】
更に、ＩＥＥＥ８０２．１６−２００４を、移動局ＭＳ向けＢＷＡサービス提供を目的として修正した高速無線システムの標準規格もある（例えば非特許文献２参照、ＩＥＥＥ８０２．１６ｅ−２００５）。変調方式としては、シングルキャリア、ＯＦＤＭ(Orthogonal Frequency Division Multiplexing)、ＯＦＤＭＡ(Orthogonal Frequency Division Multiple Access)方式が採用されている。ネットワークトポロジとしては、ＰＭＰのみが規定されている。
【０００７】
図１は、従来技術における帯域要求ＢＲ(Bandwidth Request)の第１のシーケンス図である。
【０００８】
図１によれば、ＩＥＥＥ８０２．１６高速無線アクセスシステムのＰＭＰについて、中継局ＲＳを備えた場合における帯域要求ＢＲのシーケンスが表されている。基本的なネットワークトポロジとして、基地局ＢＳ圏内に中継局ＲＳが存在し、中継局ＲＳ圏内に移動局ＭＳが存在し、移動局ＭＳは基地局ＢＳ圏外に存在するものを想定する。従って、移動局ＭＳは、中継局ＲＳを介して、基地局ＢＳと通信する。
【０００９】
図１によれば、中継局ＲＳは、各移動局ＭＳから１つの帯域要求を受信すると、１つの帯域要求を基地局ＢＳへ送信する。
（Ｓ１０１）移動局ＭＳ１は、中継局ＲＳへ、帯域要求ＢＲ＃１を送信する。帯域要求ＢＲ＃１は、移動局ＭＳ１の所望帯域幅Ｘバイトと、移動局ＭＳ１の接続識別子ＣＩＤ(Connection IDentifier)とを含む。
【００１０】
ＣＩＤは、サービス接続子ＳＦＩＤ(Service Flow IDentifier)に対応する接続識別子である。ＳＦＩＤは、移動局から要求されたＱｏＳサービス（ＱｏＳパラメータセット又はサービスクラス名）を識別するための識別子である。従って、ＣＩＤによってＳＦＩＤが特定され、ＱｏＳサービスが特定される。尚、ＣＩＤは、基地局ＢＳから、中継局ＲＳを介して予め割り当てられたものである。
【００１１】
（Ｓ１０２）中継局ＲＳは、移動局ＭＳ１から帯域要求ＢＲ＃１を受信すると、更に、基地局ＢＳへ帯域要求ＢＲ＃１を送信する。送信される帯域要求ＢＲ♯１は、移動局ＭＳ１の所望帯域幅の２倍となる２×Ｘバイトと、移動局ＭＳ１のＣＩＤとを含む。基地局ＢＳへ要求する所望帯域幅を２倍とする理由は、中継局ＲＳ−移動局ＭＳ間の帯域幅Ｘバイトと、基地局ＢＳ−中継局ＲＳ間の帯域幅Ｘバイトとを要するからである。
【００１２】
（Ｓ１０３）移動局ＭＳ２は、所望帯域幅Ｙバイト及びＣＩＤを含む帯域要求ＢＲ＃２を、中継局ＲＳへ送信する。
（Ｓ１０４）中継局ＲＳは、所望帯域幅Ｙバイトの２倍となる２×Ｙバイトと、移動局ＭＳ２のＣＩＤとを含む帯域要求ＢＲ＃２を、基地局ＢＳへ送信する。
【００１３】
（Ｓ１０５）移動局ＭＳ３は、所望帯域幅Ｚバイト及びＣＩＤを含む帯域要求ＢＲ＃３を、中継局ＲＳへ送信する。
（Ｓ１０６）中継局ＲＳは、所望帯域幅Ｚバイトの２倍となる２×Ｚバイトと、移動局ＭＳ３のＣＩＤとを含む帯域要求ＢＲ＃３を、基地局ＢＳへ送信する。
【００１４】
図２は、従来技術における帯域要求の第２のシーケンス図である。
【００１５】
図２によれば、中継局ＲＳは、各移動局ＭＳから１つの帯域要求を受信すると、２つの帯域要求を基地局ＢＳへ送信する。
（Ｓ２０１）移動局ＭＳ１は、中継局ＲＳへ、帯域要求ＢＲ＃１を送信する。帯域要求ＢＲ＃１は、移動局ＭＳ１の所望帯域幅Ｘバイトと、移動局ＭＳ１の接続識別子ＣＩＤとを含む。
（Ｓ２０２）中継局ＲＳは、移動局ＭＳ１から受信した帯域要求ＢＲ＃１を、基地局ＢＳへ送信する。送信される帯域要求ＢＲ♯１は、移動局ＭＳ１の所望帯域幅Ｘバイトと、移動局ＭＳ１のＣＩＤとを含む。これにより、中継局ＲＳ−移動局ＭＳ間の帯域幅Ｘバイトを基地局ＢＳに要求する。
（Ｓ２０３）また、中継局ＲＳは、基地局ＢＳ−中継局ＲＳ間の帯域幅Ｘバイトを含む帯域要求ＢＳ＃４を、基地局ＢＳへ送信する。送信される帯域要求ＢＲ♯１は、移動局ＭＳ１の所望帯域幅Ｘバイトと、中継局ＲＳのＣＩＤとを含む。
【００１６】
（Ｓ２０４）移動局ＭＳ２は、中継局ＲＳへ、帯域要求ＢＲ＃２を送信する。
（Ｓ２０５）中継局ＲＳは、移動局ＭＳ２から受信した帯域要求ＢＲ＃２を、基地局ＢＳへ送信する。
（Ｓ２０６）また、中継局ＲＳは、基地局ＢＳ−中継局ＲＳ間の帯域幅Ｙバイトを含む帯域要求ＢＳ＃５を、基地局ＢＳへ送信する。
【００１７】
（Ｓ２０７）移動局ＭＳ３は、中継局ＲＳへ、帯域要求ＢＲ＃３を送信する。
（Ｓ２０８）中継局ＲＳは、移動局ＭＳ３から受信した帯域要求ＢＲ＃３を、基地局ＢＳへ送信する。
（Ｓ２０９）また、中継局ＲＳは、基地局ＢＳ−中継局ＲＳ間の所望帯域幅Ｚバイトを含む帯域要求ＢＳ＃６を、基地局ＢＳへ送信する。
【００１８】
【非特許文献１】IEEE Std 802.16-2004、IEEEStandard for Local and metropolitan area networks, Part 16 : Air Interface forFixed Broadband Wireless Access Systems
【非特許文献２】IEEE Std 802.16e-2005、IEEEStandard for Local and metropolitan area networks, Part 16 : Air Interface forFixed and Mobile Broadband Wireless Access Systems, Amendment 2:Physical andMedium Access Control Layers for Combined Fixed and Mobile Operation inLicensed Bands and Corrigendum 1
【発明の開示】
【発明が解決しようとする課題】
【００１９】
しかしながら、ＩＥＥＥ８０２．１６における基地局ＢＳは、セル半径が最大１０ｋｍと広範囲をカバーするために移動局ＭＳの数も極めて多い。更に、基地局ＢＳが、中継局ＲＳを介して移動局ＭＳと通信する場合、基地局ＢＳと通信する移動局ＭＳの数は膨大な数となる。この場合、基地局ＢＳは、全ての移動局ＭＳからの帯域要求を管理する必要がある。移動局数が増大すると共に、基地局ＢＳが管理する帯域要求も膨大な数となり、そのオーバヘッドも増大する。
【００２０】
そこで、本発明は、ＩＥＥＥ８０２．１６を適用した高速無線アクセスシステムについて、基地局ＢＳにおける帯域要求の管理のオーバヘッドを低減させることができる、中継局における帯域要求の集約方法、中継局及びプログラムを提供することを目的とする。
【課題を解決するための手段】
【００２１】
本発明によれば、ＩＥＥＥ８０２．１６を適用した中継局における帯域要求の集約方法であって、
複数の移動局から複数の帯域要求を受信する第１のステップと、
帯域要求に含まれる所望帯域幅の合算値を、当該中継局の所望帯域幅として含む１つの帯域要求を生成する第２のステップと、
生成された帯域要求を、基地局へ送信する第３のステップと
を有することを特徴とする。
【００２２】
本発明の帯域要求の集約方法における他の実施形態によれば、第２のステップについて、ＭＡＣヘッダに拡張サブヘッダを追加し、該拡張サブヘッダは、合算値である当該中継局の所望帯域幅と、移動局の所望帯域幅及び接続識別子とを含むことも好ましい。
【００２３】
本発明の帯域要求の集約方法における他の実施形態によれば、拡張サブヘッダにおける移動局の所望帯域幅及び接続識別子は、所望帯域幅が同一となる移動局毎に記述されることも好ましい。
【００２４】
本発明によれば、ＩＥＥＥ８０２．１６を適用した中継局であって、
複数の移動局から複数の帯域要求を受信する帯域要求受信手段と、
帯域要求に含まれる所望帯域幅の合算値を、当該中継局の所望帯域幅として含む１つの帯域要求を生成する帯域要求集約手段と、
生成された帯域要求を、基地局へ送信する帯域要求送信手段と
を有する。
【００２５】
本発明の中継局における他の実施形態によれば、帯域要求集約手段は、ＭＡＣヘッダに拡張サブヘッダを追加し、該拡張サブヘッダは、合算値である当該中継局の所望帯域幅と、移動局の所望帯域幅及び接続識別子とを含むことも好ましい。
【００２６】
本発明の中継局における他の実施形態によれば、拡張サブヘッダにおける移動局の所望帯域幅及び接続識別子は、所望帯域幅が同一となる移動局毎に記述されることも好ましい。
【００２７】
本発明によれば、ＩＥＥＥ８０２．１６を適用した中継局に搭載されたコンピュータを機能させるプログラムであって、
複数の移動局から複数の帯域要求を受信する帯域要求受信手段と、
帯域要求に含まれる所望帯域幅の合算値を、当該中継局の所望帯域幅として含む１つの帯域要求を生成する帯域要求集約手段と、
生成された帯域要求を、基地局へ送信する帯域要求送信手段と
してコンピュータを機能させることを特徴とする。
【００２８】
本発明の中継局用のプログラムにおける他の実施形態によれば、帯域要求集約手段は、ＭＡＣヘッダに拡張サブヘッダを追加し、該拡張サブヘッダは、合算値である当該中継局の所望帯域幅と、移動局の所望帯域幅及び接続識別子とを含むようにコンピュータを機能させることも好ましい。
【００２９】
本発明の中継局用のプログラムにおける他の実施形態によれば、拡張サブヘッダにおける移動局の所望帯域幅及び接続識別子は、所望帯域幅が同一となる移動局毎に記述されるようにコンピュータを機能させることも好ましい。
【発明の効果】
【００３０】
本発明における帯域要求の集約方法、中継局及びプログラムによれば、基地局ＢＳにおける帯域要求の管理のオーバヘッドを低減させることができる。中継局ＲＳが、当該中継局ＲＳ配下の複数の移動局ＭＳの帯域要求の中から、基地局ＢＳに必要な情報をのみを集約する。従って、基地局ＢＳは、中継局ＲＳとのリンク毎に帯域要求を管理すればよい。また、本発明によれば、複数の移動局の帯域要求に係る情報を、ＭＡＣヘッダに追加される拡張サブヘッダに含めることによって、中継局ＲＳは、大量の移動局ＭＳについて集約した情報を、基地局ＢＳへ送信することができる。
【発明を実施するための最良の形態】
【００３１】
以下では、図面を用いて、本発明を実施するための最良の形態について詳細に説明する。
【００３２】
図３は、本発明における帯域要求のシーケンス図である。
【００３３】
（Ｓ３０１）移動局ＭＳ１は、中継局ＲＳへ、帯域要求ＢＲ＃１を送信する。帯域要求ＢＲ＃１は、移動局ＭＳ１の所望帯域幅Ｘバイトと、移動局ＭＳ１のＣＩＤとを含む。
（Ｓ３０２）移動局ＭＳ２は、中継局ＲＳへ、帯域要求ＢＲ＃２を送信する。帯域要求ＢＲ＃２は、移動局ＭＳ２の所望帯域幅Ｙバイトと、移動局ＭＳ２のＣＩＤとを含む。
（Ｓ３０３）移動局ＭＳ３は、中継局ＲＳへ、帯域要求ＢＲ＃３を送信する。帯域要求ＢＲ＃３は、移動局ＭＳ３の所望帯域幅Ｚバイトと、移動局ＭＳ３のＣＩＤとを含む。
【００３４】
（Ｓ３０４）中継局ＲＳは、移動局ＭＳ１〜ＭＳ３から受信した帯域要求ＢＲ＃１〜♯３を集約する。そして、中継局ＲＳは、集約された帯域要求ＢＲ♯４を、基地局ＢＳへ送信する。帯域要求ＢＲ♯４は、移動局ＭＳ１〜ＭＳ３の所望帯域幅の合算値と、中継局ＲＳのＣＩＤと、移動局ＭＳ♯１〜♯３の所望帯域幅及びＣＩＤを含む付加情報とを含む。
【００３５】
図４は、本発明における中継局ＲＳから基地局ＢＳへ送信される帯域要求ＢＲのヘッダフォーマットである。
【００３６】
図４によれば、帯域要求ＢＲのヘッダは、ジェネリックＭＡＣヘッダと、拡張サブヘッダとから構成される。ジェネリックＭＡＣヘッダのＥＳＦ(Extended Subheader Field)フラグを１に設定する（ＥＳＦ＝１）ことにより、拡張サブヘッダが付加される。
【００３７】
ジェネリックＭＡＣヘッダについて、ＬＥＮ(MSB(3)+LSB(8))は、拡張サブヘッダを含むMAC PDUの長さを含む。ＣＩＤ(MSB(8)+LSB(8))は、中継局ＲＳのＣＩＤを含む。
【００３８】
拡張サブヘッダについて、ＲＳ
ＢＲ(16)は、集約された所望帯域幅の合算値を含む。また、同じ所望帯域幅毎に、所望帯域幅及びＣＩＤを含む。ＭＳ数は、同じ所望帯域幅の数を表す。ＢＲは、ＭＳ数毎の所望帯域幅を表す。ＣＩＤは、同じ所望帯域幅の移動局ＭＳのＣＩＤを表す。
【００３９】
図３の場合、図４の拡張サブヘッダの値は、以下のようになる。尚、移動局ＭＳ２の所望帯域幅と、移動局ＭＳ３の所望帯域幅とは、同じ値であるとする。
ＲＳ ＢＲ(16)：Ｘ＋Ｙ＋Ｚバイト
ＭＳ数：１
ＢＲ(11)：移動局ＭＳ♯１の所望帯域幅
ＣＩＤ(16)：移動局ＭＳ♯１のＣＩＤ
ＭＳ数：２
ＢＲ(11)：移動局ＭＳ♯１及び移動局ＭＳ♯２の所望帯域幅
ＣＩＤ(16)：移動局ＭＳ♯２のＣＩＤ
ＣＩＤ(16)：移動局ＭＳ♯３のＣＩＤ
【００４０】
図５は、本発明における中継局の機能構成図である。
【００４１】
図５によれば、中継局１は、無線通信インタフェース部１０１と、帯域要求受信部１０２と、帯域要求集約部１０３と、帯域要求送信部１０４と、帯域情報蓄積部１０５と、データ中継部１０６とを有する。これら機能部は、中継局に搭載されたコンピュータを機能させるプログラムを実行することによっても実現できる。
【００４２】
無線通信インタフェース部１０１は、基地局ＢＳ及び移動局ＭＳと無線リンクを介して通信をする。
【００４３】
帯域要求受信部１０２は、複数の移動局ＭＳから、無線通信インタフェース部１０１を介して複数の帯域要求を受信する。
【００４４】
帯域要求集約部１０３は、帯域要求に含まれる所望帯域幅の合算値を、当該中継局の所望帯域幅として含む１つの帯域要求を生成する。ここで、合算値と、移動局の接続識別子とを、ＭＡＣヘッダに追加される拡張サブヘッダに含める。拡張サブヘッダは、合算値である当該中継局の所望帯域幅と、移動局の所望帯域幅及び接続識別子とを含む。また、移動局の所望帯域幅及び接続識別子は、所望帯域幅が同一となる移動局毎に記述される。
【００４５】
帯域要求送信部１０４は、帯域要求集約部１０３によって生成された帯域要求を、無線インタフェース部１０１を介して基地局へ送信する。
【００４６】
帯域情報蓄積部１０５は、移動局ＭＳから受信した帯域要求と、基地局ＢＳへ送信した帯域要求とを蓄積管理する。データ中継部１０６は、帯域情報蓄積部１０５に蓄積された情報を用いて、移動局ＭＳ−基地局ＢＳ間のデータを中継する。
【００４７】
以上、詳細に説明したように、本発明における帯域要求の集約方法、中継局及びプログラムによれば、基地局ＢＳにおける帯域要求の管理のオーバヘッドを低減させることができる。中継局ＲＳが、当該中継局ＲＳ配下の複数の移動局ＭＳの帯域要求の中から、基地局ＢＳに必要な情報をのみを集約する。従って、基地局ＢＳは、中継局ＲＳとのリンク毎に帯域要求を管理すればよい。また、本発明によれば、複数の移動局の帯域要求に係る情報を、ＭＡＣヘッダに追加される拡張サブヘッダに含めることによって、中継局ＲＳは、大量の移動局ＭＳについて集約した情報を、基地局ＢＳへ送信することができる。
【００４８】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００４９】
【図１】従来技術における帯域要求の第１のシーケンス図である。
【図２】従来技術における帯域要求の第２のシーケンス図である。
【図３】本発明における帯域要求のシーケンス図である。
【図４】本発明における中継局ＲＳから基地局ＢＳへ送信される帯域要求ＢＲのヘッダフォーマットである。
【図５】本発明における中継局の機能構成図である。
【符号の説明】
【００５０】
１  中継局
１０１  無線通信インタフェース部
１０２  帯域要求受信部
１０３  帯域要求集約部
１０４  帯域要求送信部
１０５  帯域情報蓄積部
１０６  データ中継部
２  基地局
３  移動局
【図１】
2008017069.tif 000003
【図２】
2008017069.tif 000004
【図３】
2008017069.tif 000005
【図４】
2008017069.tif 000006
【図５】
2008017069.tif 000007